(57)【特許請求の範囲】
【請求項１】
発色する色が異なった第１ないし第３の３つの感熱発色層が支持体上に順次層設されており、少なくとも最上層の第３層及び第２層の感熱発色層は特有な波長域の光線による定着性を備え、また深層ほど熱記録感度が低くなったカラー感熱記録紙を用いて、サーマルヘッドにより各感熱発色層を順次熱記録するとともに、この熱記録した感熱発色層に特有な波長域の光線を照射する定着ランプにより少なくとも第３色成分画像、第２色成分画像をこれらの熱記録の後に定着してフルカラー画像を記録するカラー感熱プリンタにおいて、
フルカラー記録した後の記録紙を排出口から送り出す排出部と、
前記排出口に対して斜め下方に連続する排紙トレイと、
この排紙トレイに送りだされた記録紙を排紙トレイに押さえ付けるペーパー押さえガイドとを備え、
前記ペーパー押さえガイドを、弾力性を有する遮光性シートにより構成し、記録紙の排出口を覆うようにしたことを特徴とするカラー感熱プリンタの排紙装置。
【請求項２】
請求項１記載のカラー感熱プリンタの排紙装置において、
前記排出部は、フルカラー記録した後の記録紙を受けるペーパーガイドと、このペーパーガイド上の記録紙をプリント時における記録紙の送り方向と直交する方向に送り出す第１の排紙ローラ対とから構成され、
前記排紙トレイは、前記排出部のペーパーガイドに対して、プリント時における記録紙の送り方向と直交する方向で、前記第１の排紙ローラ対による記録紙の送り出し側に配置されていることを特徴とするカラー感熱プリンタの排紙装置。
【請求項３】
請求項２記載のカラー感熱プリンタの排紙装置において、
前記排出部はフルカラー記録した後の記録紙を排紙口に位置決めする第２排紙ローラ対を有することを特徴とするカラー感熱プリンタの排紙装置。
【請求項４】
請求項１ないし３のいずれか記載のカラー感熱プリンタの排紙装置において、
前記ペーパー押さえガイドは、上端が排紙口の上部に取り付けられており、下端部が排紙トレイに斜めに接触していることを特徴とするカラー感熱プリンタの排紙装置。
【請求項５】
記録した後の記録紙に特有な波長域の光線を照射する定着ランプと、
記録した後の記録紙を排出口から送り出す排出部と、
前記排出口に対して斜め下方に連続する排紙トレイと、
この排紙トレイに送りだされた記録紙を排紙トレイに押さえ付けるペーパー押さえガイドとを備え、
前記ペーパー押さえガイドを、弾力性を有する遮光性シートにより構成し、記録紙の排出口を覆うようにしたことを特徴とするプリンタの排紙装置。
【請求項６】
請求項５記載のプリンタの排紙装置において、
前記排出部は、記録した後の記録紙を受けるペーパーガイドと、このペーパーガイド上の記録紙をプリント時における記録紙の送り方向と直交する方向に送り出す第１の排紙ローラ対とから構成され、
前記排紙トレイは、前記排出部のペーパーガイドに対して、プリント時における記録紙の送り方向と直交する方向で、前記第１の排紙ローラ対による記録紙の送り出し側に配置されていることを特徴とするプリンタの排紙装置。
【請求項７】
請求項６記載のプリンタの排紙装置において、
前記排出部は記録した後の記録紙を排紙口に位置決めする第２排紙ローラ対を有することを特徴とするプリンタの排紙装置。
【請求項８】
請求項５ないし７のいずれか記載のプリンタの排紙装置において、
前記ペーパー押さえガイドは、上端が排紙口の上部に取り付けられており、下端部が排紙トレイに斜めに接触していることを特徴とするプリンタの排紙装置。
【発明の詳細な説明】
【０００１】
【発明の属する技術分野】
本発明はカラー感熱プリンタの排紙装置に関するものである。
【０００２】
【従来の技術】
カラー感熱プリンタでは、カラー感熱記録紙が用いられ、三色面順次でフルカラー画像を記録する。このカラー感熱記録紙は、ベース上に、シアン感熱発色層，マゼンタ感熱発色層，イエロー感熱発色層が順次層設されており、最上層となるイエロー感熱発色層の熱感度が最も高く、最下層となるシアン感熱発色層の熱感度が最も低い。各感熱発色層は、最上層から順番に記録されるが、マゼンタ感熱発色層の記録の際に、イエロー感熱発色層内の未発色成分が発色しないように、イエロー画像の記録後に４２０ｎｍの紫色可視線を照射して定着する。同様に、マゼンタ感熱発色層の記録後に、３６５ｎｍの紫外線を照射してマゼンタ感熱発色層を定着する。
【０００３】
【発明が解決しようとする課題】
ところで、カラー感熱プリント方式では記録紙に対してサーマルヘッドで熱を加えてプリントするため、プリント時の熱のために記録紙が湾曲（カール）してしまうという問題がある。特に、排紙直後はカールが大きく、このため、排紙トレイに記録紙を整然と積層して排出させることが困難であった。特に、図８に示すように、記録紙２をプリント時の送り方向と直交する横方向に送り出して排紙トレイ３に排出するタイプのカラー感熱プリンタでは、記録紙２を排出しようとすると、排紙トレイ３内のカールした先の記録紙４によって、排出口が塞がれてしまうという問題がある。図８において２点鎖線で表示した記録紙２はカールの一例を示しており、このようなカールを有する記録紙２は排紙ローラ５によってペーパーガイド板６側に押さえつけられて実線表示のように平面状にされた状態で、排紙トレイ３側に排出される。一方、排紙トレイ３の記録紙２はカールした状態になっている。したがって、このカールした先の記録紙４の縁４ａと、次の記録紙２の縁２ａとが当たってしまい、ここで記録紙２が詰まってジャムを起こしてしまうという問題がある。
【０００４】
また、記録紙をプリント時の送り方向と直交する横方向に排出するタイプのカラー感熱プリンタでは排紙口の上方に各定着ランプが配置されることになり、この排出口から定着ランプの紫外線がもれてしまうという問題がある。
【０００５】
本発明は上記課題を解決するためのものであり、カールによるジャムの発生を抑えるとともに、定着光が排紙口からもれることのないようにしたカラー感熱プリンタの排紙装置を簡単な構成で提供することを目的とする。
【０００６】
【課題を解決するための手段】
上記目的を達成するために、請求項１に記載したカラー感熱プリンタの排紙装置は、フルカラー記録した後の記録紙を排出口から送り出す排出部と、前記排出口に対して斜め下方に連続する排紙トレイと、この排紙トレイに送りだされた記録紙を排紙トレイに押さえ付けるペーパー押さえガイドとを備えたものである。
【０００７】
また、請求項２記載のカラー感熱プリンタの排紙装置は、前記排出部を、フルカラー記録した後の記録紙を受けるペーパーガイドと、このペーパーガイド上の記録紙をプリント時における記録紙の送り方向と直交する方向に送り出す第１の排紙ローラ対とから構成し、前記排紙トレイを、前記排出部のペーパーガイドに対して、プリント時における記録紙の送り方向と直交する方向で、前記第１の排紙ローラ対による記録紙の送り出し側に配置したものである。なお、前記排出部はフルカラー記録した後の記録紙を排紙口に位置決めする第２排紙ローラ対を有することが好ましい。
【０００８】
また、請求項４記載のカラー感熱プリンタの排紙装置は、前記ペーパー押さえガイドを弾力性のある遮光性シートにより構成し、記録紙の排出口を覆うようにしたものである。なお、このペーパー押さえガイドは、上端が排紙口の上部に取り付けられており下端部が排紙トレイに斜めに接触していることが好ましい。
【０００９】
【作用】
プリント済みの記録紙は排出部、例えば排出ローラ対により排紙トレイに排出される。ペーパー押さえガイドは、排紙トレイに排出された記録紙を上方から押さえる。このため、記録紙にカールが発生していても、ペーパー押さえガイドによって、記録紙が押さえられるため、排紙トレイに記録紙は平面状に保持される。これにより、次の記録紙が排紙トレイに排出されても、排紙トレイ内の記録紙は押さえ込まれてカールが無い状態で排紙トレイに保持されているので、図８に示すように、排紙トレイにそのまま排紙される場合と異なり、先に排紙された記録紙と次の記録紙とが当たってジャムになることが防止される。また、ペーパー押さえガイドは遮光性部材から構成されており、排紙口を覆うようにされているので、定着光が排紙口から外部にもれることがなくなる。
【００１０】
【発明の実施の形態】
図２に示す側面図において、記録紙ロール１０はロール形態でキャビネット９内に巻き取り収納されている。搬送ローラ対１１は記録紙ロール１０からカラー感熱記録紙１２を引き出して、これをサーマルヘッド１３に送りだす。搬送ローラ対１１は、一対のローラのうち上側がキャプスタンローラ１１ａであり、下側がニップローラ１１ｂである。記録紙１２は搬送ローラ対１１のニップローラ１１ｂにある角度をもって巻き掛けられており、これにより記録紙１２のロール形態とは反対側に記録紙１２が湾曲させられることで巻き癖が除去されるようになっている。
【００１１】
記録紙１２は、周知のように、支持体に対しシアン感熱発色層，マゼンタ感熱発色層，イエロー感熱発色層が順次層設されており、最上層のイエロー感熱発色層の熱感度が最も高い。イエロー感熱発色層は、４２０ｎｍの紫色可視光線によって発色能力が消失し、マゼンタ感熱発色層は３６５ｎｍの紫外線で発色能力が消失する。
【００１２】
図２及び図３に示すように、搬送ローラ対１１の記録紙送り出し方向の下流側には、サーマルヘッド１３とプラテンローラ１４とが配置されている。本実施形態ではサーマルヘッド１３が固定状態で取り付けられている。また、プラテンローラ１４は硬質ゴムで作られており、回転自在になっている。このプラテンローラ１４はアップダウン機構１５（図５参照）により昇降自在に取り付けられており、熱記録時には上方に変位してサーマルヘッド１３の発熱素子アレイ１３ａに記録紙１２を押しつける。なお、プラテンローラ１４側を固定してサーマルヘッド１３側をシフトさせてもよい。
【００１３】
サーマルヘッド１３の発熱素子アレイ１３ａは、プラテンローラ１４の軸方向に多数の発熱素子がライン状に形成されており、熱記録時には画像データに応じて各発熱素子が駆動されることで、３色面順次でフルカラー画像を記録する。
【００１４】
サーマルヘッド１３の下流側にはカッタ１６が配置されている。カッタ１６は、１対の可動刃１６ａが上下動することによって、記録紙１２をカット予定線から切断して、記録エリア部分をシート状プリント１７として切り離す。
【００１５】
カッタ１６の下流側には、定着器２０が配置されている。定着器２０は、リフレクタ２１と、イエロー用定着ランプ２２と、マゼンタ用定着ランプ２３と、透明ガイド板２４とから構成されている。イエロー用定着ランプ２２は、４２０ｎｍの波長域の紫色可視光線を放出してイエロー感熱発色層を定着し、次のマゼンタ記録の際にイエロー成分が発色しないようにする。マゼンタ用定着ランプ２３は、３６５ｎｍの波長域の紫外線を放出して、マゼンタ感熱発色層を定着し、次のシアン記録の際にマゼンタ成分が発色しないようにする。透明ガイド板２４はアクリル板から構成されており、記録紙１２がリフレクタ２１や定着ランプ２２，２３に接触することがないように記録紙１２をガイドする。なお、透明ガイド板２４は透明であればよく、ガラス板やプラスチック板等を用いてもよい。
【００１６】
記録紙ロール１０から定着器２０までの記録紙１２の通路を形成するために、下側ペーパーガイド板３０，３１、及び上側ペーパーガイド板３２，３３が設けられている。第１下側ペーパーガイド板３０は、記録紙ロール１０からカッタ１６の間に配置されており、ニップローラ１１ｂ，プラテンローラ１４のための開口が形成されている。第１上側ペーパーガイド板３２は第１下側ペーパーガイド板３０と対になっており、記録紙ロール１０からカッタ１６の間に配置され、キャプスタンローラ１１ａ，サーマルヘッド１３のための開口が形成されている。
【００１７】
第２下側ペーパーガイド板３１はカッタ１６の下流側に配置されており、この第２下側ペーパーガイド板３１の一方の側縁には、排紙トレイ板３５が一体に接続されている。この第２下側ペーパーガイド板３１には、第１及び第２排紙ローラ対３６，３７用の開口が形成されている。また、第２上側ペーパーガイド板３３は、第２下側ペーパーガイド板３１と対になっており、このガイド板３３にも、第１及び第２排紙ローラ対３６，３７、定着器２０のための開口が形成されている。
【００１８】
図１及び図４に示すように、排紙トレイ板３５は、第２下側ペーパーガイド板３１に対して下側に傾斜して配置されており、第２下側ペーパーガイド３１から第１排紙ローラ対３６で排紙されたシート状プリント１７が滑り下りるようにされている。この排紙トレイ板３５の下側にはペーパーストッパ３８が形成されており、シート状プリント１７が排紙トレイ板３５の下端部から脱落することがないようにされている。この排紙トレイ板３５とペーパーストッパ３６により排紙トレイ３９が構成される。
【００１９】
図２及び図３に示すように、前記第２排紙ローラ対３７は、定着器２０の下流側に配置されている。この第２排紙ローラ対３７は、カッタ１６により切断されたシート状プリント１７を、排紙トレイ板３５が設けられている排紙位置まで搬送する。また、図１及び図３に示すように、第１排紙ローラ対３６は、排紙トレイ板３５近くの第２ペーパーガイド板３１，３３に、定着器２０の上流側及び下流側の２箇所で配置されており、排紙位置にあるシート状プリント１７をニップして排紙トレイ板３５に排出する。これら第１及び第２排紙ローラ対３６，３７は、ニップローラ及び駆動ローラとから構成されており、図５に示すローラシフト機構３６ｃ，３７ｃによって排紙時以外は記録紙通路から退避した位置にされており、排紙の際にシート状プリント１７をニップするように構成されている。
【００２０】
図４に示すように、排紙トレイ３９の上方の天板４０には、取付ブラケット４１を介して、弾力性があるペーパー押さえガイド４２が配置されている。このペーパー押さえガイド４２は遮光性の黒色プラスチックシートから構成されており、その弾性によって、排紙トレイ３９上のシート状プリント１７を上から押さえつけるようにされている。取付ブラケット４１は、ペーパー押さえガイド４２の下端部が排紙トレイ板３５に対して斜めに接触するような角度で、ペーパー押さえガイド４２を天板４０に取り付ける。これにより、シート状プリント１７の排出の際にペーパー押さえガイド４２による排出抵抗が少なくなるようにされている。
【００２１】
図１に示すように、このペーパー押さえガイド４２は排紙トレイ板３５の幅とほぼ同じ幅で形成されており、排出口４３を覆うようにされている。このため、マゼンタ用定着ランプ２３からの紫外線やイエロー用定着ランプ２２からの紫色可視光が排出口４３から外部にもれることがない。
【００２２】
図５は、カラー感熱プリンタの電気的構成を示すブロック図であり、操作部５０は、プリントスタートキー等を備え、各種のコマンドをコントローラ５１に送る。このコントローラ５１は、ドライバ５２、カッタ駆動部５３、アップダウン機構１５、プリント制御部５５、ランプ制御部５６、ローラシフト機構１１ｃ，３６ｃ，３７ｃ、カウンタ５７を制御する。
【００２３】
コントローラ５１は、ドライバ５２に回転方向信号と駆動パルスとを送る。このドライバ５２は、パルスモータ６０を正転又は逆転させ、搬送ローラ対１１のキャプスタンローラ１１ａ及び排紙ローラ対３６，３７の駆動ローラを正転又は逆転させる。カウンタ５７は、先端センサ６１の先端検知信号が入力されたときからカウント動作を開始し、パルスモータ６０が正転するときにカウントアップし、逆転するときにカウントダウンする。先端センサ６１は図２に示すように搬送ローラ対１１とサーマルヘッド１３との間に配置されている。
【００２４】
カッタ駆動部５３は、カッタ１６の各可動刃１６ａを上下動させ、カット予定線（仮想線）から記録紙１２をカットして、プリント済み部分をシート状プリント１７として切り離す。アップダウン機構１５は、モータとカムとから構成され、押圧位置ではプラテンローラ１４を上昇させ記録紙１２をサーマルヘッド１３の発熱素子アレイ１３ａに押圧する。また、退避位置ではプラテンローラ１４を下降させ、発熱素子アレイ１３ａから記録紙１２を離した位置にする。プリント制御部５５は、１フレーム分の３色画像データを記憶したメモリと、ヘッドドライバとから構成され、各色の画像データに応じてサーマルヘッド１３の各発熱素子を駆動する。これらの発熱素子は、画像データ及び記録すべき色に応じて発熱して、記録紙１２を所望の濃度に発色させる。
【００２５】
ランプ制御部５６は、イエロー用定着ランプ２２とマゼンタ用定着ランプ２３との発光を制御する。ローラシフト機構１１ａ，３６ｃ，３７ｃはソレノイド等から構成され、搬送ローラ対１１，排紙ローラ対３６，３７をニップ状態またはニップ解除状態にする。
【００２６】
次に、図６に示すフローチャートに基づき上記実施形態の作用について説明する。プリントすべき画像データの取込み後に、操作部５０を操作してプリントを指示すれば、コントローラ５１は、先ず、ドライバ５２を介してパルスモータ６０を正転させ、搬送ローラ対１１により記録紙ロール１０から記録紙１２を引き出して、これをサーマルヘッド１３に送りだす。先端センサ５１を記録紙１２の先端が通過すると、コントローラ５１は、先端の検知時点よりカウンタ５７のアップカウントを開始する。このアップカウント値に基づき、コントローラ５１は、記録エリアがサーマルヘッド１３の発熱素子アレイ１３ａを通過したことを検知して、記録紙１２の送出しを終了する。
【００２７】
次に、コントローラ５１は、モータ６０を逆転して記録紙１２を引き戻し、この引戻し中にカウンタ５７をダウンカウントする。コントローラ５１は、このダウンカウント値に基づき記録エリアを特定し、記録エリアに対してサーマルヘッド１３によりイエロー画像を１ラインずつ記録する。イエロー画像の記録を終了した後に、記録紙１２の先端通過を先端センサ６１が検知すると、記録紙１２の引戻しを終了する。また先端検知信号に基づきコントローラ５１はカウンタ５７のカウント値をリセットする。記録紙１２の引戻しの際は、搬送ローラ対１１により引き戻された記録紙１２は記録紙ロールの周囲の隙間で巻き弛むことで収納される。次に、コントローラ５１は、搬送ローラ対１１を正転して記録紙１２を送り出し、記録エリアに対しイエロー用定着ランプ２２により紫色可視光線を照射して、イエロー画像を光定着する。イエロー画像の光定着が終了すると、コントローラ５１は搬送ローラ対１１を逆転して記録紙１２を引き戻し、この引き戻しの際に、記録エリアに対してマゼンタ画像を記録する。
【００２８】
以下、イエロー画像の定着と同じようにして、マゼンタ画像を記録した後に記録紙２の送り出しでマゼンタ画像が定着される。マゼンタ画像の定着に際しては、マゼンタ用定着ランプ２３が発光して、記録エリアに対して紫外線を照射する。同様して、記録紙１２の引戻しでシアン画像が記録される。なお、シアン感熱発色層はイエローやマゼンタの発色層のように、光定着性が与えられていないので定着の必要はないが、記録エリア内の未記録白色部分や余白部分は淡黄色になっており、この部分にマゼンタ定着光を照射すると、淡黄色を白色に漂白することができるので、マゼンタ定着と同じように、マゼンタ用定着ランプ２３が点灯され、記録エリアが漂白される。
【００２９】
この漂白中に、コントローラ５１は、記録紙１２のカット予定線（仮想線）がカッタ１６に位置したときに記録紙１２の送り出しを停止し、カット予定線で記録紙１２を切断してシート状プリント１７を記録紙１２から切り離す。この切断の後は、コントローラ５１は、ローラシフト機構３７ｃにより第２排紙ローラ対３７をニップ状態にして、シート状プリント１７のみを排紙トレイ板３５がある排紙位置まで送り出し、シート状プリント１７を排出口４３に位置決めする。この後、コントローラ５１は、ローラシフト機構３７ｃによって第２排紙ローラ対３７をニップ解除状態にする。次に、コントローラ５１は、ローラシフト機構３６ｃにより第１排紙ローラ３６をニップ状態にして、シート状プリント１７を排紙トレイ３９に排出する。
【００３０】
排紙トレイ３９に排出されたシート状プリント１７はペーパー押さえガイド４２により排紙トレイ板３５に押し付けられるため、シート状プリント１７にカールが発生していても、カールを押さえた状態でシート状プリント１７を排紙トレイ３９内に保持することができる。
【００３１】
以下、同じようにして、フルカラー画像がプリントされたシート状プリント１７は、第１及び第２排出ローラ対３６，３７により排紙トレイ３９に排出される。このとき、図１に示すように、先に排出されたシート状プリント１７はペーパー押さえガイド４２によって排紙トレイ板３５に押さえ付けられているので、後のシート状プリント１７が円滑に排紙トレイ３９上の先のシート状プリント１７に積層される。また、図４に示すように、積層されたシート状プリント１７も同じようにペーパー押さえガイド４２により押さえつけられるため、図１に２点鎖線で表示するように、排出口４３を塞ぐようにシート状プリント１７がカールすることがなく、ジャムの発生が防止される。また、定着中は各ランプ２２，２３が発光するが、これらランプ２２，２３からの定着光は、ペーパー押さえガイド４２が遮光性を有しているので、排出口４３から外部にもれることがない。図９は、ペーパー押さえガイド４２が無い場合を示しており、２点鎖線で示すようにシート状プリント１７がカールするとともに、矢印で示すように定着光が排出口４３から外部にもれてしまう。
【００３２】
なお、図２における搬送ローラ対１１を給紙ローラ対とし、サーマルヘッド１３とカッタ１６との間に別の搬送ローラ対を設けるとともに、サーマルヘッド１３の向きを図２のものと反対にすることで、記録紙１２の送り出しの際に記録を行うようにしてもよい。この場合には、記録後も記録紙１２の送り出しを続行して、この送り出し中に定着を行う。更には、この定着の後の記録紙の引戻し中にも定着を行うようにしてよい。
【００３３】
上記実施形態では、ロール状記録紙１０を用いたが、この他にカットシートタイプの記録紙を用いる場合に本発明を実施してもよい。また、上記実施形態では、図１に示すように、排紙トレイ３９を記録紙１２の記録の際の送り方向に対して直交する横方向に配置したが、この他に、図７に示すように、記録紙１２の送り方向と同じ方向に排紙トレイ７０を配置する場合にも本発明を実施してもよい。この場合には、排紙トレイ７０の上にペーパー押さえガイド７１を設けることによって、記録紙１２のカールを押さえるとともに、各定着ランプからの定着光のもれを防止することができる。
【００３４】
上記実施形態では、搬送ローラ対１１により引き戻した記録紙１２を記録紙ロール１０の周囲の隙間で記録紙１２を巻き弛ませて収納したが、この他に、記録紙ロール１０を巻き取り方向に回転して、引き戻した記録紙１２を収納するようにしてもよい。また、記録紙ロール１０と搬送ローラ対１１との間にフリーループを形成することで引き戻した記録紙１２を一時的に貯留するようにしてもよい。
【００３５】
上記実施形態では、第１及び第２排紙ローラ対３６，３７によりペーパーガイド板３１上から排紙トレイ３９にシート状プリント１７を送り出すようにしたが、これに変えて搬送ベルトやシート押出し部材などによりシート状プリント１７を送るようにしてもよい。また、第１及び第２排紙ローラ対３６，３７は上記実施形態のものに限定されることなく、その配置位置及び配置個数は適宜変更してもよい。
【００３６】
【発明の効果】
本発明によれば、排紙トレイに送りだされたプリント済みの記録紙を排紙トレイに押さえるペーパー押さえガイドを設けたから、次のプリント済みの記録紙が排紙トレイに排出される場合でも、前の記録紙がカールによって排出口を塞ぐことがなく、記録紙のジャムの発生を防止することができる。
【００３７】
また、ペーパー押さえガイドを遮光性シートから構成し、排出口を覆うようにしたから、排出口から定着ランプの紫外線等がもれることがなくなる。更に、ペーパー押さえガイドの上端を排紙口の上部に取り付けるとともに、下端部を排紙トレイに斜めに接触させたから、プリント済みの記録紙の排出時の排出抵抗を少なくすることができるとともに、排出を終了した後は記録紙のカールを効果的に押さえることができる。
【００３８】
フルカラー記録した後の記録紙を受けるペーパーガイドと、このペーパーガイド上の記録紙をプリント時における記録紙の送り方向と直交する方向に送り出す第１の排紙ローラ対とから排出部を構成し、排紙トレイを、排出部のペーパーガイドに対して、プリント時における記録紙の送り方向と直交する方向で、第１の排紙ローラ対による記録紙の送り出し側に配置することで、プリントした記録紙を横方向から取り出すことができるようになり、使い勝手がよくなるとともに、全体をコンパクトにまとめることができる。更に、フルカラー記録した後の記録紙を排紙口に位置決めする第２排紙ローラ対を有することにより、フルカラー記録した記録紙をカッタで切断する記録紙ロールを用いるプリンタにおいても、横方向に設けた排紙トレイに記録紙を排出することができるようになる。
【図面の簡単な説明】
【図１】本発明のカラー感熱プリンタの排紙装置の要部を示す斜視図である。
【図２】カラー感熱プリンタの全体の概略を示す側面図である。
【図３】カラー感熱プリンタの全体の概略を示す平面図である。
【図４】図３におけるIV−IV線に沿う拡大した断面図である。
【図５】カラー感熱プリンタの電気的構成を示すブロック図である。
【図６】カラー感熱プリンタにおける処理手順を示すフローチャートである。
【図７】記録時の記録紙送り方向に設けた排紙トレイとペーパー押さえガイドとを示す斜視図である。
【図８】記録紙のカールの一例と、カールが発生した状態におけるジャムの原因を説明するための斜視図である。
【図９】ペーパー押さえガイドが無い排紙トレイを示す図３におけるIV−IV線に相当する拡大した断面図である。
【符号の説明】
１０  記録紙ロール
１１  搬送ローラ対
１２  記録紙
１３  サーマルヘッド
１４  プラテンローラ
１６  カッタ
２０  定着器
２２  イエロー用定着ランプ
２３  マゼンタ用定着ランプ
３０，３１，３２，３３  ペーパーガイド板
３５  排紙トレイ板
３６，３７  排紙ローラ対
３９  排紙トレイ
４２  ペーパー押さえガイド
４３  排出口
【図１】
0003745837.tif 000002
【図２】
0003745837.tif 000003
【図３】
0003745837.tif 000004
【図４】
0003745837.tif 000005
【図５】
0003745837.tif 000006
【図６】
0003745837.tif 000007
【図７】
0003745837.tif 000008
【図８】
0003745837.tif 000009
【図９】
0003745837.tif 000010